(57)【要約】  【課題】空調ニースとアイドルストップのニーズとを共に高い次元で満足させる。  【解決手段】目標室内温度ＴｒTARGETと実際の室内温度Ｔｒとの間の偏差が、第１しきい値Ｔｉｓ１以内のときは、空調用コントローラＵＫがアイドルストップ許可信号を出力する。乗員の操作により、例えば空調風吹出量が減少されたときは、上記第１しきい値Ｔｉｓ１よりも大きい第２しきい値Ｔｉｓ２が設定されて、上記偏差が第２しきい値Ｔｉｓ２以内のときにアイドルストップ許可信号が出力される。【選択図】  図５
2014034343.tif 000002
【特許請求の範囲】
【請求項１】
車室内環境条件と車室外環境条件との少なくとも一方の環境条件および乗員の操作状態を表すパラメータに応じて、目標室内温度となるように室内温度を自動制御する空調システムと、
車両停止時に、目標室内温度と実際の室内温度との偏差を含む所定の条件が成立した場合にエンジンを自動停止させるエンジン制御手段と、
前記空調システムの自動制御中に、乗員の操作によって前記パラメータに含まれない他のパラメータが空調制御を緩和する方向に操作された場合に、前記偏差に関する条件をエンジンが自動停止されやすい方向に変更する自動停止条件変更手段と、
を備えていることを特徴とする車両用空調制御装置。
【請求項２】
請求項１において、
前記他のパラメータが空調風の吹出量であり、
前記自動停止条件変更手段は、空調風の吹出量が減少する方向に乗員の操作が行われときに、前記偏差が小さくなる方向に変更してエンジンを自動停止されやい方向に変更する、
ことを特徴とする車両用空調制御装置。
【請求項３】
請求項２において、
冷房時において、実際の室内温度が目標室内温度よりも高い温度に設定された第１所定温度以下となったときに、前記偏差が小さいとしてエンジンの自動停止が許可され、
前記自動停止条件変更手段が、前記第１所定温度を高くすることによりエンジンが自動停止されやすい方向に変更する、
ことを特徴とする車両用空調制御装置。
【請求項４】
請求項２または請求項３において、
暖房時において、実際の室内温度が目標室内温度よりも低い温度に設定された第２所定温度以上となったときに、前記偏差が小さいとしてエンジンの自動停止が許可され、
前記自動停止条件変更手段が、前記第２所定温度を低くすることによりエンジンが自動停止されやすい方向に変更する、
ことを特徴とする車両用空調制御装置。
【請求項５】
請求項２ないし請求項４のいずれか１項において、
前記偏差の変更が、乗員による空調風の吹出量の変更量に対して不連続に行われる、ことを特徴とする車両用空調制御装置。
【請求項６】
請求項２ないし請求項４のいずれか１項において、
前記偏差の変更が、乗員による空調風の吹出量の変更量に比例して行われる、ことを特徴とする車両用空調制御装置。
【請求項７】
請求項１において、
前記他のパラメータが、冷房時における内気循環モードから外気循環モードへの変更とされ、
前記自動停止条件変更手段は、冷房時において内気循環モードから外気循環モードへ変更する乗員の操作が行われたときに、前記偏差が小さくなる方向に変更してエンジンを自動停止されやい方向に変更する、
ことを特徴とする車両用空調制御装置。
【発明の詳細な説明】
【技術分野】
【０００１】
本発明は、車両用空調制御装置に関するものである。
【背景技術】
【０００２】
車両用空調制御装置にあっては、目標室内温度となるように実際の室内温度を自動制御するオートエアンコンが主流となっている。空調の自動制御は、車室内の環境条件、車室外の環境条件、乗員による空調操作状態（特に目標室内温度の設定）を表すパラメータに応じて行われて、例えば空調吹出温度、空調風の吹き出し口、空調風の吹出量等が自動設定されることになる。
【０００３】
一方、最近の車両では、燃費向上のために、車両停止時にエンジンを自動停止させるいわゆるアイドルストップを行うものが多くなっている。このアイドルストップは、あらかじめ設定された開始条件が成立しているを条件に実行され、この開始条件としては、例えば、車速が零であること（車両停止であること）、ブレーキ操作されていること、アクセル操作されていないこと、変速機がＤ位置にある等の全ての条件を満足するものとして設定されることが一般的である。
【０００４】
アイドルストップ状態から、エンジンを自動再始動するために、あらかじめ自動再始動条件が設定されるが、これは、開始条件とされたいずれか１つの条件が成立しなかったときとされるのが一般的である（例えば運転者によるブレーキ操作が解除されたとき）。
【０００５】
エンジン自動停止が好ましくない状況のときは、アイドルストップを禁止するようにすることも行われており、このアイドルストップ禁止条件としては、運転者が認識しない種々の要因がある。このアイドルストップ禁止条件としては、例えば、バッテリ充電量が少ないとき、バッテリ消費電力が多いとき、エンジン冷却水温度や油温が低いとき、変速機の油温や油圧が低いとき、設定温度と実際の温度との差が大きいことに伴って空調装置による空調レベルが高いとき等、種々設定される。そして、このアイドルストップ禁止条件は、その１つが成立したときに、アイドルストップが禁止されることになる。そして、アイドルストップ中に、アイドルストップ禁止条件が成立すると、エンジンが自動再始動されることも行われている。なお、アイドルストップ開始条件を、アイドルストップ禁止条件の一部の項目として設定することもでき、この場合は、アイドルストップ開始条件を構成する各種要因の１つでも成立しない場合（例えばブレーキ操作されてない場合）に、アイドルストップ禁止条件が成立したとみることができる。
【０００６】
空調の自動制御中に、目標室内温度と実際の室内温度との偏差が大きすぎるとき、例えば冷房時にあっては目標室内温度よりも実際の室内温度がある温度以上高温であるとき、また暖房時には目標室内温度よりも実際の室内温度がある温度以上低温であるときには、空調を優先すべく、アイドルストップが禁止されることになる。
【０００７】
乗員によっては、アイドルストップを行う頻度を増大させて燃費向上を図ることを強く望む者もおり、この場合空調からの要請とどのように折り合いを付けるかが問題となる。特許文献１には、アイドルストップの重視度合と空調の重視度合とを、乗員によるマニュアル操作によって選択できるようにしたものが開示されている。
【先行技術文献】
【特許文献】
【０００８】
【特許文献１】特開２００６−２４０４５９号公報
【発明の概要】
【発明が解決しようとする課題】
【０００９】
前記特許文献１に記載のものでは、アイドルストップと空調とのいずれを重視するかを乗員がマニュアル選択できるだけであり、アイドルストップを重視する選択を行った場合には、空調が大きく犠牲にならざるを得ないものとなる。
【００１０】
ところで、乗員の中には、空調の作動状態がアイドルストップに関与しているという認識の下に、アイドルストップが行われやすくなるように、例えば空調風の吹出量をマニュアル操作によって低減させて、空調制御を緩和する方向に操作する場合がある。しかしながら、この場合は、実際の室内温度が目標室内温度に近づくまでの時間をいたずらに長くなるだけであって、空調制御の点でもまたアイドルストップを行いやすくするという点でも好ましくないものである。
【００１１】
本発明は以上のような事情を勘案してなされたもので、その目的は、空調のニーズとアイドルストップのニーズとを共に高い次元で満足できるようにした車両用空調制御装置を提供することにある。
【課題を解決するための手段】
【００１２】
前記目的を達成するため、本発明にあっては、請求項１に記載のような解決手法を採択してある。すなわち、
車室内環境条件と車室外環境条件との少なくとも一方の環境条件および乗員の操作状態を表すパラメータに応じて、目標室内温度となるように室内温度を自動制御する空調システムと、
車両停止時に、目標室内温度と実際の室内温度との偏差を含む所定の条件が成立した場合にエンジンを自動停止させるエンジン制御手段と、
前記空調システムの自動制御中に、乗員の操作によって前記パラメータに含まれない他のパラメータが空調制御を緩和する方向に操作された場合に、前記偏差に関する条件をエンジンが自動停止されやすい方向に変更する自動停止条件変更手段と、
を備えているようにしてある。
【００１３】
上記解決手法によれば、乗員による空調制御緩和の操作に基づいて、目標室内温度に向けた空調制御を継続しつつ、乗員の意思を反映させてエンジンを自動停止させやすくすることができ、空調のニーズとアイドルストップのニーズとを共に高い次元で満足させることができる。
【００１４】
上記解決手法を前提とした好ましい態様は、請求項２以下に記載のとおりである。すなわち、
前記他のパラメータが空調風の吹出量であり、
前記自動停止条件変更手段は、空調風の吹出量が減少する方向に乗員の操作が行われときに、前記偏差が小さくなる方向に変更してエンジンを自動停止されやい方向に変更する、
ようにしてある（請求項２対応）。この場合、空調制御緩和のために乗員によって行われことの多い空調風の吹出量を減少させるという操作に基づいて、請求項１に対応した効果を得ることができる。
【００１５】
冷房時において、実際の室内温度が目標室内温度よりも高い温度に設定された第１所定温度以下となったときに、前記偏差が小さいとしてエンジンの自動停止が許可され、
前記自動停止条件変更手段が、前記第１所定温度を高くすることによりエンジンが自動停止されやすい方向に変更する、
ようにしてある（請求項３対応）。この場合、冷房時に、エンジン自動停止開始のしきい値となる第１所定温度を高くするという簡単な手法によって、アイドルストップさせやすくすることができる。
【００１６】
暖房時において、実際の室内温度が目標室内温度よりも低い温度に設定された第２所定温度以上となったときに、前記偏差が小さいとしてエンジンの自動停止が許可され、
前記自動停止条件変更手段が、前記第２所定温度を低くすることによりエンジンが自動停止されやすい方向に変更する、
ようにしてある（請求項４対応）。この場合、暖房時に、エンジン自動停止開始のしきい値となる第２所定温度を低くするという簡単な手法によって、アイドルストップさせやすくすることができる。
【００１７】
前記偏差の変更が、乗員による空調風の吹出量の変更量に対して不連続に行われる、ようにしてある（請求項５対応）。この場合、アイドルストップさせたいという乗員の意思を強く反映させる上で好ましいものとなる。
【００１８】
前記偏差の変更が、乗員による空調風の吹出量の変更量に比例して行われる、ようにしてある（請求項６対応）。この場合、アイドルストップさせたいという乗員の意思の強さの度合を反映させる上で好ましいものとなる。
【００１９】
前記他のパラメータが、冷房時における内気循環モードから外気循環モードへの変更とされ、
前記自動停止条件変更手段は、冷房時において内気循環モードから外気循環モードへ変更する乗員の操作が行われたときに、前記偏差が小さくなる方向に変更してエンジンを自動停止されやい方向に変更する、
ようにしてある（請求項７対応）。この場合、乗員によって行われることの多い内気循環モードから外気導入モードへの変更操作に基づいて、請求項１に対応した効果を得ることができる。また、外気導入モードへ変更しても、アイドルストップされやすくなっていることから、自車両が排出する排気ガスが外気導入に伴って車室内に導入されてしまうという事態を防止あるいは低減するという観点からも好ましいものとなる。
【発明の効果】
【００２０】
本発明によれば、空調のニーズとアイドルストップのニーズとを共に高い次元で満足させることができる。
【図面の簡単な説明】
【００２１】
【図１】空調システムの一例を示す系統図。
【図２】空調の操作パネル部分の一例を示す図。
【図３】空調システムの制御系統例を示す図。
【図４】エンジン自動停止の制御系統例を示す図。
【図５】冷房時における本発明の制御例を示すタイムチャート。
【図６】暖房時における本発明の制御例を示すタイムチャート。
【図７】空調風吹出量の減少量に対応したしきい値温度の変更量設定の一例を示す特性図。
【図８】空調風吹出量の減少量に対応したしきい値温度の変更量設定の別の例を示す特性図。
【図９】本発明の制御例を示すフローチャート。
【発明を実施するための形態】
【００２２】
図１は、空調システムＫにおける通路構成例を示すものである。空調システムＫは、既知のものなので簡単に説明すると、流入口１を有する上流側通路部２と、上流側通路部２の下流側に接続されたエアミックス室３および加温室４を有する。流入口１には、切換ダンパ５配設されて、内気導入と外気導入とが切換えられる。上流側通路部２には、切換ダンパ５の下流側へ順次、エアフィルタ６、吸引用のブロア７、冷媒が循環されるエバポレータ８が配設されている。
【００２３】
前記加温室４には、エンジン冷却水が循環される第１ヒータコア９と電気式の第２ヒータコア１０とが配設されている。なお、電気式の第２ヒータコア１０は、実施形態ではエンジンが直噴式とされてエンジン冷却水温度が上昇されにくい形式のために採択されているが、第２ヒータコア１０を有しないものであってもよい。
【００２４】
上流側通路部２とエアミックス室３と加温室４との接続部位には、エアミックスダンパ１１が配設されている。このエアミックスダンパ１１の位置変更により、エバポレータ８を通過した冷却エアが加温室４を経由する割合が変更されて、エアミックス室３へ導入されるエアの温度および湿度が調整される。
【００２５】
エアミックス室３には、３つの通路１２〜１４が接続されている。通路１２は、その末端部が複数に分岐されて、デフロスタ用の吹出口１２ａおよびサイド・デミスタ用の吹出口１２ｂとされている。通路１３は、その末端部が複数に分岐されて、センタ・ベント用の吹出口１３ａおよびサイド・ベント用の吹出口１３ｂとされている。通路１４は、その末端部が複数に分岐されて、フロント・ヒート用の吹出口１４ａおよびリア・ヒート用の吹出口１４ｂとされている。そして、各通路１２〜１４とエアミックス室３との接続部位には、モード切換用のモードダンパ１５、１６あるいは１７が配設されている。
【００２６】
図２は、乗員により操作される空調用パネル部ＫＰの一例を示すものであり、インストルメントパネルにセットされている。実施形態では、運転席と助手席とで左右独立して温度制御するものに対応しており、乗員により操作されるスイッチとして、次のように設定されている。
【００２７】
まず、スイッチ２１は、オートエアコンをＯＮするメインスイッチであり、プッシュ式とされている。スイッチ２２は、運転席の温度設定スイッチであり、ダイアル式とされている。スイッチ２３は、オートエアコンのＯＦＦスイッチであり、プッシュ式とされている。スイッチ２４は、風量調整用スイッチであり、ダイアル式とされている。スイッチ２５は、助手席用の温度を個別に選択する際に操作されるもので、プッシュ式とされている。スイッチ２６は、助手席用の温度調整用であり、ダイアル式とされている。
【００２８】
スイッチ３１は、エアコンをＯＦＦするスイッチである。スイッチ３２は、フロントデフロスタ作動用のスイッチである。スイッチ３３は、リアデフロスタ作動用スイッチである。スイッチ３４，３５は、空調風の吹出口選択用スイッチである。スイッチ３６は、外気導入選択用のスイッチである。スイッチ３７は、内気循環選択用のスイッチである。各スイッチ３１〜３７は、それぞれプッシュ式とされている。
【００２９】
図３は、空調システムＫの制御系統例が示される。この図３中、ＵＫは、マイクロコンピュータを利用して構成された空調システム用のコントローラ（制御ユニット）である。このコントローラＵＫには、前述した各種スイッチからの信号が入力される他、外気温センサＳ１で検出された外気温度、内気温センサＳ２で検出された室内温度、日射センサＳ３で検出された車室内への日射状態、温度センサＳ４で検出されたエバポレータ８の温度に関する信号が入力される。また、コントローラＵＫは、前述した各ダンパ等の機器類５、７、１１、１５〜１７の他、エンジンと冷媒圧縮用コンプレッサとの動力伝達経路に介在されたコンプレッサクラッチ１８を制御するようになっている。コントローラＵＫと、上記センサ、スイッチ、機器類とは、低速通信系でもって接続されている。
【００３０】
コントローラＵＫは、基本的に、各種センサＳ１〜Ｓ４で検出される車内外の環境条件と乗員によるスイッチ操作状態に応じて、目標室内温度を設定すると共に、実際の室内温度が目標室内温度にするのに最適な空調風吹出量、空調エア温度、空調風の吹出口の選択等を自動制御する。なお、このような空調の自動制御そのものは従来と代わりがないので、これ以上詳細な説明は省略する。
【００３１】
低速通信系となるコントローラＵＫは、インストルメントパネルに設けたメータを介して、高速通信系（ＣＡＮ）に対して接続されている。この高速通信系には、エンジン自動停止と自動再始動を含むエンジン制御を行うＰＣＭ、自動変速機の変速制御等を行うＴＣＭ、エンジン自動停止時の自動ブレーキ制御を含むブレーキ制御を行うＤＳＣ、ドアの開閉状態の検出を含む車体回りの制御を行うＢＣＭ、キーの車内置き忘れの検出を含むスマートキーレスに関する制御を行うキーレスコントロールモジュール（ＳＫＥで表示）、パワーステアリング制御を行うＥＨＰＡＳが含まれる。コントローラＵＫには、ＰＣＭからアイドリングストップ状態に関する情報が入力される一方、コントローラＵＫからＰＣＭに対して、後述するように、空調制御状態に応じてアイドリングストップの許可信号または禁止信号を出力するようになっている。また、ＤＳＣには車速センサ１０が接続されており、車速センサ１０で検出された車速信号は、ＣＡＮを経由してコントローラＵＫおよびＰＣＭに入力される。
【００３２】
図４は、アイドリングストップに関する制御を行うＰＣＭに関する詳細な制御系統例を示すものである。この図４において、ＰＣＭには、各種センサあるいはスイッチＳ１1〜Ｓ１９からの信号が入力される。センサＳ１１は、アクセル開度を検出するアクセルセンサである。センサＳ１２は、スロットル開度を検出するスロットルセンサである。センサＳ１３は、クランクシャフトの回転角度位置を検出する角度センサである。センサＳ１４は、吸気温度を検出する吸気温センサである。センサＳ１４は、冷却水温を検出する水温センサである。センサＳ１６は、負圧式倍力装置を有するブレーキ装置における負圧を検出する負圧センサである。スイッチＳ１７は、ブレーキペダルが踏み込み操作されていることを検出するブレーキスイッチであり（ストップライトスイッチと兼用）。センサＳ１８は、自動変速機のレンジ位置を検出するレンジ位置センサである。Ｓ１９は、バッテリの充電量、電圧、消費電流等を総合的に検出するバッテリセンサである。
【００３３】
ＰＣＭは、エンジンの自動停止（アイドルストップ）と自動再始動の制御に関連して、次のような各種機器類４１〜４７を制御するようになっている。すなわち、４１は、スロットルバルブを駆動するアクチュエータであり、エンジン自動停止時に全閉とされる。４２は、電動式の可変バルブタイミング装置における駆動モータであり、エンジン自動停止時に、自動再始動に備えて吸気弁の開閉タイミングを遅らせる。４３は、燃料噴射弁であり、エンジン自動停止の際に燃料噴射がカットされる。４４はイグニッションコイルであり、エンジン自動停止時には通電が停止されて点火が禁止される。４５はスタータモータであり、エンジン自動再始動時に駆動される。４６は、オルタネータであり、エンジン自動停止時に、オルタネータの負荷を上げることによりエンジン回転数を下げる。４７は、ＤＣ／ＤＣコンバータであり、エンジン自動再始動時のためにクランキングを行う際に、バッテリの電力低下を補うように制御される。
【００３４】
車両停止時にエンジンを自動停止するアイドルストップが行われるが、これは、後述するアイドルストップ禁止条件の１つでも成立していないことを条件に実行される。
【００３５】
自動停止禁止条件（アイドルストップ禁止条件）
（１）車速が０でないとき。
（２）乗員によるブレーキ操作が行われていないとき。
（３）アクセルペダルが踏み込み操作されているとき。
（４）バッテリに関連して、電圧が所定電圧以下の低電圧のとき、充電量があらかじめ設定された所定充電量以下のとき、消費電流があらかじめ設定された所定電流以上のとき、あるいはバッテリ制御システムが異常のとき（異常信号発生のとき）。
（５）ハンドル舵角がニュートラル位置から所定の小舵角範囲内にないとき。
（６）変速機に関連して、変速機がＤレンジ位置にないとき、油温が所定温度範囲内にないとき、油圧が所定圧力範囲内にないとき、変速機異常信号が発生されているとき、クラッチ（ロックアップクラッチを含む）に異常があるとき。
（７）エンジンに関連して、冷却水温度が所定温度範囲にないとき、吸気温度が高すぎるとき、大気圧が低いとき。
（８）負圧式倍力装置を含むブレーキ装置でのブレーキ負圧が不足するとき、あるいはエンジンシステムの異常信号が発生されたとき。
（９）車体回りに関連して、イグニッションキーが車外に持ち出されているとき（スマートキーレスエントリーシステムの場合）、シートベルトが取外されているとき、いずれかのドアが開いているとき、あるいはボンネットが開いているとき。
（１０）路面の傾斜角度が大きいとき。
（１１）空調用コントローラＵＫから自動停止禁止信号が出力されているとき。この点については、後に詳述する。
【００３６】
上述の自動停止禁止条件はあくまで一例を示すものであり、その他の禁止条件を付加してもよい。例えば、エンジン自動停止を運転者の意思によってキャンセル（禁止）するＩＳスイッチＳ５がＯＮされているとき、エンジン回転数があらかじめ設定された回転数（安定したときのアイドル回転数よりもかなり高い回転数）以上の高回転であるととき、等の条件をさらに追加してもよい。逆に、上記禁止条件の一部を削除した設定とすることもできる。
【００３７】
エンジンを自動停止しているアイドルストップ状態からエンジンを自動再始動する自動再始動開始条件としては、上記自動停止禁止条件のいずれか１つが解除されたときとして設定することができるが、特に、少なくとも乗員によるブレーキ操作が解除されたときを自動再始動の条件として設定するのが好ましい。
【００３８】
次に、空調システムＫに関連した自動停止禁止条件について説明する。まず、空調の自動制御は、内気温センサＳ２で検出される実際の室内温度が、乗員により選択された温度調整ダイアル２２，２６に基づいて設定される目標室内温度に近づくように制御される。この空調自動制御に際しては、空調風の温度、吹出口の選択、空調風吹出量等が自動制御されることになる。
【００３９】
空調用のコントローラＵＫは、次の場合に、空調を優先すべく、車両停止時におけるエンジンの自動停止を禁止する禁止信号を出力する。なお、空調用コントローラＵＫは、自動停止禁止信号を出力しないときは、自動停止許可信号を出力する。
【００４０】
空調システム側からの自動停止禁止条件
（１）空調システムＫにおける各種センサ等の異常が発生したとき。
（２）外気温度が、極めて高いとき（例えば４０度Ｃ以上）、または極めて低いとき（例えば−１０度Ｃ以下）。
（３）デフロスタを使用しているとき（視界確保を優先）。
（４）乗員により選択された室内温度が、高温側の上限値であるとき（暖房要求が極めて強いとき）。
（５）乗員により選択された室内温度が、低温側の下限値でありかつエアコン作動されているとき（冷房要求が極めて強いとき）。
（６）目標室内温度と実際の室内温度との偏差が所定値よりも大きいとき。
【００４１】
空調用コントローラＵＫは、上記自動停止禁止条件のうち、上記（６）における目標室内温度と実際の室内温度との偏差に関する条件については、乗員による空調操作に応じてエンジン自動停止されやすい方向（アイドルストップされやすい方向）へ適宜変更するようにしてあり、この点について、図５、図６を参照しつつ説明する。
【００４２】
まず、図５は、冷房時において、実線が空調制御を完全に自動制御した場合を示し、一点鎖線が乗員の操作によって空調風の吹出量が減少されたときの場合を示す（吹出量以外は自動制御）。吹出量が減少された一点鎖線の場合は、実線の場合に比して、実際の室内温度の低下が緩やかとなる。
【００４３】
図５において、ＴｒTARGETは、目標室内温度である。また、Ｔis１は第１しきい値であり、Ｔis２は第２しきい値である。ただし、Ｔis２＞Ｔis１＞０とされている。目標室内温度ＴｒTARGETに対して、第１しきい値Ｔis１分だけ高い第１所定温度が「ＴｒTARGET＋Ｔis１」として設定され、第２しきい値Ｔis２分だけ高い第２所定温度が「ＴｒTARGET＋Ｔis２」として設定される。
【００４４】
第１所定温度ＴｒTARGET＋Ｔis１は、空調を完全に自動制御しているときに、エンジン自動停止を禁止するか許可するかのしきい値温度となる。すなわち、コントローラＵＫは、実際の室内温度が、第１所定温度ＴｒTARGET＋Ｔis１以下になるとエンジン自動停止の許可信号を出力し、第１所定温度ＴｒTARGET＋Ｔis１よりも高い温度のときはエンジン自動停止禁止信号を出力する。図５実線において、実際の室内温度が第１所定温度ＴｒTARGET＋Ｔis１となった時点がＴ１時点となる。
【００４５】
一方、第２所定温度ＴｒTARGET＋Ｔis２は、空調を完全に自動制御している状態から、乗員の操作によって空調風の吹出量を減少させる操作が行われたときに、エンジン自動停止を禁止するか許可するかのしきい値温度となる。すなわち、コントローラＵＫは、実際の室内温度が第２所定温度ＴｒTARGET＋Ｔis２以下になるとエンジン自動停止の許可信号を出力し、第２所定温度ＴｒTARGET＋Ｔis２よりも高い温度のときはエンジン自動停止禁止信号を出力する。この場合、図５一点鎖線で示すように、実際の室内温度が第２所定温度ＴｒTARGET＋Ｔis２にまで低下した時点がＴ２となる。
【００４６】
図５一点鎖線のような温度変化の場合、実際の室内温度が第１所定温度ＴｒTARGET＋Ｔis１にまで低下する時点は、Ｔ２’時点となり、相当に遅い時期となる。エンジン自動停止を許可するしきい値温度を第２所定温度ＴｒTARGET＋Ｔis２にまで高くすることにより、エンジン自動停止が許可されるまでの時間が短縮されることになる（Ｔ２’時点からＴ２時点へ自動停止許可されるタイミングが早められる）。
【００４７】
次に、図６は、暖房時において、実線が空調制御を完全に自動制御した場合を示し、一点鎖線が乗員の操作によって空調風の吹出量が減少されたときの場合を示す。吹出量が減少された一点鎖線の場合は、実線の場合に比して、実際の室内温度の上昇が緩やかとなる。
【００４８】
図６において、ＴｒTARGETは、目標室内温度である。また、Ｔis１は第１しきい値であり、Ｔis２は第２しきい値である。ただし、Ｔis２＞Ｔis１＞０とされている。目標室内温度ＴｒTARGETに対して、第１しきい値Ｔis１分だけ低い第１所定温度が「ＴｒTARGET−Ｔis１」として設定され、第２しきい値Ｔis２分だけ低い第２所定温度が「ＴｒTARGET−Ｔis２」として設定される。
【００４９】
第１所定温度ＴｒTARGET−Ｔis１は、空調を完全に自動制御しているときに、エンジン自動停止を禁止するか許可するかのしきい値温度となる。すなわち、コントローラＵＫは、実際の室内温度が、第１所定温度ＴｒTARGET−Ｔis１以上になるとエンジン自動停止の許可信号を出力し、第１所定温度ＴｒTARGET−Ｔis１よりも低い温度のときはエンジン自動停止禁止信号を出力する。空調を完全に自動制御しているときの実際の室内温度変化状態を示す図６実線において、実際の室内温度が第１所定温度ＴｒTARGET−Ｔis１となった時点がＴ１時点となる。
【００５０】
一方、第２所定温度ＴｒTARGET−Ｔis２は、空調を完全に自動制御している状態から、乗員の操作によって空調風の吹出量を減少させる操作が行われたときに、エンジン自動停止を禁止するか許可するかのしきい値温度となる。すなわち、コントローラＵＫは、実際の室内温度が第２所定温度ＴｒTARGET−Ｔis２以上になるとエンジン自動停止の許可信号を出力し、第２所定温度ＴｒTARGET−Ｔis２よりも低い温度のときはエンジン自動停止禁止信号を出力する。この場合、図６一点鎖線で示すように、実際の室内温度が第２所定温度ＴｒTARGET−Ｔis２にまで上昇した時点がＴ２となる。
【００５１】
図６一点鎖線のような温度変化の場合、実際の室内温度が第１所定温度ＴｒTARGET−Ｔis１にまで上昇する時点は、Ｔ２’時点となり、相当に遅い時期となる。エンジン自動停止を許可するしきい値温度を第２所定温度ＴｒTARGET−Ｔis２にまで低くすることにより、エンジン自動停止が許可されるまでの時間が短縮されることになる（Ｔ２’時点からＴ２時点へ自動停止許可されるタイミングが早められる）。
【００５２】
第１しきい値Ｔｉｓ１を一定とした場合、第２しきい値Ｔｉｓ２が大きいほど、エンジン自動停止が許可されるタイミングが早められることになる。図７，、図８は、乗員の操作に応じた空調風吹出量の減少量に応じた「Ｔｉｓ２−Ｔｉｓ１」の絶対値を変化させる例を示す。すなわち、図７，図８において、横軸に付されたｖａｕｔｏは空調を完全に自動制御したときの空調風吹出量であり、ｖｍａｎｕは乗員の操作に応じた空調風吹出量を示し、その差分となるｖａｕｔｏ−ｖｍａｎｕは、空調風吹出量の減少量となる。
【００５３】
図７の例は、空調風吹出量の減少量が大きいほど、「Ｔｉｓ２−Ｔｉｓ１」の絶対値が線形的に大きくなるように変化させた場合を示す（Ｔｉｓ２が大きくなる変化）。図７に示すような設定例は、自動停止許可信号が出力されるまでのタイミングを、乗員操作に基づく空調風吹出量の減少量に応じて変更して、空調ニーズと自動停止のニーズとの割合を乗員の意思に応じて適切に変更する上で好ましいものとなる。
【００５４】
図８の例は、空調風吹出量の減少量とは無関係に、「Ｔｉｓ２−Ｔｉｓ１」の絶対値が常に一定値となるようにした場合を示す（Ｔｉｓ２が一定で、不連続な設定例）。図８に示すような設定例は、乗員による自動停止のニーズを十分に反映させる上で好ましいものとなる。
【００５５】
尚、図７，図８に示す設定例に限らず、空調風吹出量の減少量に応じて、「Ｔｉｓ２−Ｔｉｓ１」の絶対値（つまりＴｉｓ２の大きさ）を、段階的に変更するようにしてもよく、あるいは非線形的に連続変化させる等、適宜選択できる。
【００５６】
図９は、前述したコントローラＵＫによる制御内容のうち、自動停止許可信号出力と自動停止禁止信号の出力に関する部分の制御例を示すフローチャートである。以下、このフローチャートについて説明するが、以下の説明でＱはステップを示す。
【００５７】
まず、Ｑ１において、各種センサ、スイッチ等からの信号が読み込まれる（データ入力）。次いで、Ｑ２において、現在アイドルストップ中であるか否かが判別される。このＱ２の判別でＮＯのときは、Ｑ３〜Ｑ７において、空調システムＫに関して、目標室内温度と実際の室内温度との偏差に関する条件以外の自動停止禁止条件が成立しているか否かが判別される。すなわち、Ｑ３では、センサ等の故障が生じていないか否かが判別される。このＱ３の判別でＮＯのときは、Ｑ４において、外気温が、極端に高い高温あるいは極端に低い低温であるか否かが判別される。このＱ４の判別でＮＯのときは、Ｑ５において、デフロスタを使用中であるか否かが判別される。このＱ５の判別でＮＯのときは、Ｑ６において、乗員による設定温度が高温上限値であるか否かが判別される。このＱ６の判別でＮＯのときは、Ｑ７において、乗員による設定温度が低温下限値でかつエアコンがＯＮされているときであるか否かが判別される。
【００５８】
前記Ｑ７の判別でＮＯのときは、Ｑ８において、乗員が手動操作によって空調風吹出量が変更されたか否かが判別される。このＱ８の判別でＮＯのときは、Ｑ１０において、実際の室内温度Ｔｒから目標室内温度ＴｒTARGETを差し引いた値が、−Ｔis１〜＋Ｔis１の間にあるか否かが判別される。このＱ１０の判別でＹＥＳのときは、Ｑ１１において、アイドルストップ許可信号が出力される。また、Ｑ１０の判別でＮＯのときは、Ｑ１３において、アイドルストップ禁止信号が出力される。Ｑ１０からＱ１１あるいはＱ１３を経る処理は、空調制御が完全に自動制御されている場合に相当し、図５，図６において実線で示す温度変化に伴う制御となる。
【００５９】
前記Ｑ８の判別でＹＥＳのときは、Ｑ９において、乗員の操作による変更後の空調風吹出量が、自動制御時の空調風吹出量よりも少ないか否かが判別される。このＱ９の判別でＮＯのときは、Ｑ１０に移行される。
【００６０】
前記Ｑ９の判別でＹＥＳのときは、Ｑ１２において、実際の室内温度Ｔｒから目標室内温度ＴｒTARGETを差し引いた値が、−Ｔis２〜＋Ｔis２の間にあるか否かが判別される。このＱ１２の判別でＹＥＳのときは、Ｑ１１において、アイドルストップ許可信号が出力される。また、Ｑ１２の判別でＮＯのときは、Ｑ１３において、アイドルストップ禁止信号が出力される。Ｑ１２からＱ１１あるいはＱ１３を経る処理は、図５，図６において、一点鎖線で示す温度変化に伴う制御となる。
【００６１】
前記Ｑ２の判別でＹＥＳのときは、Ｑ１４において、エンジン自動再始動を行うか否かの判定が行われることになる。
【００６２】
以上実施形態について説明したが、本発明は、実施形態に限定されるものではなく、特許請求の範囲の記載された範囲において適宜の変更が可能であり、例えば次のような場合をも含むものである。実際の室内温度と目標室内温度との偏差に関する条件を、エンジン自動停止されやすい方向へ変更するには、偏差が小さくなる方向への制御内容に変更することによって行うことができ、例えば、目標室内温度や実際の室内温度そのものを擬似的に変更すること等によって行うこともできる。エンジンが自動停止されやすくする乗員操作のパラメータとしては、空調風吹出量以外に、例えば冷房時において内気循環から外気導入へ切換えられたときや、空調風の吹出口を変更する操作を行ったとき（図２の吹出モード選択スイッチ３４，３５が操作されたとき）等、適宜選択できる。勿論、本発明の目的は、明記されたものに限らず、実質的に好ましいあるいは利点として表現されたものを提供することをも暗黙的に含むものである。
【産業上の利用可能性】
【００６３】
本発明はアイドルストップを行う車両に適用して好適である。
【符号の説明】
【００６４】
Ｋ：空調システム
ＵＫ：コントローラ（空調制御用）
Ｓ１：センサ（外気温度）
Ｓ２：センサ（車室内温度）
Ｓ３：センサ（日射状態）
Ｓ１０：センサ（車速）
Ｓ１１：センサ（アクセル開度）
Ｓ１７：スイッチ（ブレーキ操作）
Ｓ１８：センサ（レンジ位置）
２２．２６：スイッチ（温度調整）
２４：スイッチ（空調風吹出量調整）
３６．３６：スイッチ（内気循環、外気導入切換用）
【図１】
2014034343.tif 000003
【図２】
2014034343.tif 000004
【図３】
2014034343.tif 000005
【図４】
2014034343.tif 000006
【図５】
2014034343.tif 000007
【図６】
2014034343.tif 000008
【図７】
2014034343.tif 000009
【図８】
2014034343.tif 000010
【図９】
2014034343.tif 000011